(57)【要約】【課題】比較的安価に認証精度を向上することができる、個人認証システムを提供する。【解決手段】顔情報システムは、（１）顔画像を含む画像データと個人情報データとを入力する入力手段２２，２４，２６と、（２）入力手段２２，２４から入力された画像データから、顔画像に対応する顔イメージを含む印影を形成するように顔印影形成デバイス１０の印鑑部１４を加工するための顔画像データを作成する顔画像データ作成手段２０と、（３）顔画像データ作成手段２０が作成した顔画像データと、入力手段２４，２６から入力された個人情報データとを、同一人について対応付けて記憶する登録情報記憶手段３２とを備える。【選択図】図１
2008097338.tif 000002
【特許請求の範囲】
【請求項１】
顔画像を含む画像データと個人情報データとを入力する入力手段と、
前記入力手段から入力された前記画像データから、前記顔画像に対応する顔イメージを含む印影を形成するように顔印影形成デバイスの印鑑部を加工するための顔画像データを作成する顔画像データ作成手段と、
前記顔画像データ作成手段が作成した前記顔画像データと、前記入力手段から入力された前記個人情報データとを、同一人について対応付けて記憶する登録情報記憶手段と、
を備えたことを特徴とする、顔情報システム。
【請求項２】
前記入力手段から入力された前記個人情報データに基づいて、前記顔画像データと合成して前記顔印影形成デバイスの前記印鑑部を加工するための合成用データを作成する合成用データ作成手段をさらに備えたことを特徴とする、請求項１に記載の顔情報システム。
【請求項３】
前記顔印影形成デバイスの前記印鑑部によって形成された印影の画像データである印影データの入力を受け付ける印影データ入力受付手段と、
前記登録情報記憶手段が記憶している前記顔画像データのうち、前記印影データ入力受付手段が入力を受け付けた前記印影データに対応する前記顔画像データを特定する顔画像データ特定手段と、
をさらに備えたことを特徴とする、請求項１又は２に記載の顔情報システム。
【請求項４】
前記登録情報記憶手段が同一人について対応付けて記憶している前記顔画像データ及び前記個人情報データの少なくとも一部に関する登録データを記憶する登録データ記憶手段と、
前記顔印影形成デバイスの前記印鑑部によって形成された印影の画像データである印影データの入力を受け付ける印影データ入力受付手段と、
前記登録データ記憶手段が記憶している前記登録データのうち、前記印影データ入力受付手段が入力を受け付けた前記印影データに対応する前記登録データを特定する登録データ特定手段と、
をさらに備えたことを特徴とする、請求項１又は２に記載の顔情報システム。
【請求項５】
前記顔印影形成デバイスは、データを格納する記憶媒体を備え、
前記顔印影形成デバイスの前記記憶媒体に格納された前記データを読み出すデータ読み出し手段を備えたことを特徴とする、請求項１ないし４のいずれか一項に記載の顔情報システム。
【請求項６】
前記顔印影形成デバイスの前記印鑑部は、印面に凹部が形成され、該凹部から供給されたインクのドットにより、濃淡のある前記印影を形成することを特徴とする、請求項１ないし５のいずれか一項に記載の顔情報システム。
【請求項７】
請求項１ないし５のいずれか一項に記載の顔情報システムにおいて用いる顔印影形成デバイスであって、
前記顔印影形成デバイスの前記印鑑部は、印面に凹部が形成され、該凹部から供給されたインクのドットにより、濃淡のある前記印影を形成することを特徴とする、顔印影形成デバイス。
【請求項８】
データを格納する記憶媒体をさらに備えたことを特徴とする、請求項７に記載の顔印影形成デバイス。
【発明の詳細な説明】
【技術分野】
【０００１】
本発明は顔情報システムに関し、詳しくは、顔のイメージを含む印影を形成する顔印影形成デバイスを用いる顔情報システムに関する。
【背景技術】
【０００２】
従来、銀行等の取引では、個人認証のために、印鑑が用いられている。
【０００３】
特許文献１には、無線ＩＣユニットを埋め込んだ印鑑が開示されている。特許文献２には、ＵＳＢメモリと印鑑とを組み合わせることが開示されている。これらに開示されている印鑑は、苗字等の文字の印影を形成するものである。
【特許文献１】特開２００５−２３１１１７号公報
【特許文献２】特開２００５−３５２８５１号公報
【発明の開示】
【発明が解決しようとする課題】
【０００４】
苗字等の文字の印影を形成する印鑑を用いて個人認証を行う場合には、他人が印鑑を用いても判別が困難である。暗証番号やパスワードなどを用いても、他人に推測されたり、盗み見られたりする可能性がある。顔、指紋、静脈パターンなどの生体的な特徴を登録しておいて照合する生体認証システムを導入すれば認証精度を向上することができるが、費用負担が大きい。
【０００５】
本発明は、かかる実情に鑑み、比較的安価に認証精度を向上することができる、個人認証システムを提供しようとするものである。
【課題を解決するための手段】
【０００６】
本発明は、上記技術的課題を解決するために、以下のように構成した顔情報システムを提供する。
【０００７】
顔情報システムは、（１）顔画像を含む画像データと個人情報データとを入力する入力手段と、（２）前記入力手段から入力された前記画像データから、前記顔画像に対応する顔イメージを含む印影を形成するように顔印影形成デバイスの印鑑部を加工するための顔画像データを作成する顔画像データ作成手段と、（３）前記顔画像データ作成手段が作成した前記顔画像データと、前記入力手段から入力された前記個人情報データとを、同一人について対応付けて記憶する登録情報記憶手段とを備える。
【０００８】
上記構成において、画像データから作成された顔画像データに基づいて、顔印影形成デバイスの印鑑部を加工することにより、顔印影形成デバイスの印鑑部は、顔イメージを含む印影を形成する。
【０００９】
顔印影形成デバイスは、本来、顔印影形成デバイスが形成する印影に含まれる顔イメージの人物が使用すべきものとすれば、印影形成デバイスの印鑑部によって形成された印影に含まれる顔イメージと、その顔印影形成デバイスの使用者の顔とを目で見て比較することによって、顔印影形成デバイスの本来の使用者が使用しているか否かを、容易に判定することができる。顔印影形成デバイスは、他人の使用が困難であり、印鑑、暗証番号やパスワードなどよりも、認証精度を向上することができる。
【００１０】
上記構成によれば、顔情報システムは、顔印影形成デバイスの印鑑部を加工するためのデータ処理システムを拡張して、登録情報記憶手段を付加すればよいため、高度な情報処理が必要な生体認証システムよりも、安価に構築することができる。
【００１１】
さらに、顔印影形成デバイスを用いて個人認証を行う際に、登録情報記憶手段に記憶されている顔画像データや個人情報データを利用して、個人認証精度を向上したり、個人認証作業や個人認証後の管理業務を効率化したりすることができる。
【００１２】
なお、顔画像データは、顔印影形成デバイスの印鑑部を加工する際に直接用いる加工データそのものである必要はなく、加工データを作成するためのデータ処理を行なう前の元データや、データ処理の過程において作成される中間データであってもよい。また、顔画像データ作成手段が作成する顔画像データと、登録情報記憶手段に記憶される顔画像データとは、完全に同一データである必要はなく、同一の元データをデータ処理することによって得られた実質的に同内容のデータであればよく、データ形式やデータ容量などが異なっていてもよい。
【００１３】
好ましくは、顔情報システムは、前記入力手段から入力された前記個人情報データに基づいて、前記顔画像データと合成して前記顔印影形成デバイスの前記印鑑部を加工するための合成用データを作成する合成用データ作成手段をさらに備える。
【００１４】
上記構成によれば、顔画像データを合成用データと合成して、顔印影形成デバイスの印鑑部が形成する印影に、名前、ホームページのＵＲＬなどの文字情報、署名などの画像情報、電子すかし等の暗号情報等を付加することができる。
【００１５】
好ましくは、（ｉ）前記顔印影形成デバイスの前記印鑑部によって形成された印影の画像データである印影データの入力を受け付ける印影データ入力受付手段と、（ii）前記登録情報記憶手段が記憶している前記顔画像データのうち、前記印影データ入力受付手段が入力を受け付けた前記印影データに対応する前記顔画像データを特定する顔画像データ特定手段とをさらに備える。
【００１６】
上記構成によれば、顔印影形成デバイスの印鑑部によって形成された印影の画像データ（印影データ）が、登録情報記憶手段に記憶されている顔画像データと対応しているか否かを判別することによって、認証精度を向上することができる。これによって、例えば、登録外の顔印影形成デバイスについては、利用を排除することができる。
【００１７】
好ましくは、顔情報システムは、（ａ）前記登録情報記憶手段が同一人について対応付けて記憶している前記顔画像データ及び前記個人情報データの少なくとも一部に関する登録データを記憶する登録データ記憶手段と、（ｂ）前記顔印影形成デバイスの前記印鑑部によって形成された印影の画像データである印影データの入力を受け付ける印影データ入力受付手段と、（ｃ）前記登録データ記憶手段が記憶している前記登録データのうち、前記印影データ入力受付手段が入力を受け付けた前記印影データに対応する前記登録データを特定する登録データ特定手段とをさらに備える。
【００１８】
上記構成によれば、顔印影形成デバイスの印鑑部によって形成された印影の画像データ（印影データ）が、登録データ記憶手段に記憶されている登録データと対応しているか否かを判別することによって、認証精度を向上することができる。これによって、例えば、登録外の顔印影形成デバイスについては、利用を排除することができる。この場合、印影データを顔画像データと照合する場合よりも、高速で照合することが可能である。
【００１９】
好ましくは、前記顔印影形成デバイスは、データを格納する記憶媒体を備える。顔情報システムは、前記顔印影形成デバイスの前記記憶媒体に格納された前記データを読み出すデータ読み出し手段を備える。
【００２０】
この場合、顔印影形成デバイスの記憶媒体に、例えば、顔印影形成デバイスの印鑑部が形成する印影に含まれる顔イメージと同一人の顔画像データや個人情報データをそのまま、あるいは暗号化や圧縮などのデータ処理を施して格納しておく。顔印影形成デバイスを用いて個人認証を行う際に、顔印影形成デバイスの記憶媒体に格納されたデータをデータ読み出し手段によって読み出して利用することによって、個人認証作業の効率化、高精度化が容易になる。
【００２１】
好ましくは、前記顔印影形成デバイスの前記印鑑部は、印面に凹部が形成され、該凹部から供給されたインクのドットにより、濃淡のある前記印影を形成する。
【００２２】
この場合、顔印影形成デバイスの印鑑部の印面に形成される凹部の配置密度や大きさを変えることにより、濃淡のある印影を形成することができる。顔印影形成デバイスの印鑑部により形成される印影に、濃淡のある顔イメージが含まれるようにすれば、線だけで形成された顔のイラストイメージに比べ、より高精度に個人を特定することができる。つまり、認証精度は、少なくとも、免許証や身分証明書などの顔写真を用いる場合と同程度にまで、高めることができる。
【００２３】
また、本発明は、上記顔情報システムにおいて用いる顔印影形成デバイスを提供する。
【００２４】
前記顔印影形成デバイスの前記印鑑部は、印面に凹部が形成され、該凹部から供給されたインクの微小ドットにより、濃淡のある前記印影を形成する。
【００２５】
この場合、顔印影形成デバイスを用いた個人認証は、少なくとも、免許証や身分証明書などの顔写真を用いる場合と同程度にまで、認証精度を高めることができる。
【００２６】
好ましくは、前記顔印影形成デバイスは、データを格納する記憶媒体をさらに備える。
【００２７】
この場合、顔印影形成デバイスの記憶媒体に、例えば、顔印影形成デバイスの印鑑部が形成する印影に含まれる顔イメージと同一人の顔画像データや個人情報データをそのまま、あるいは暗号化や圧縮などのデータ処理を施して格納しておく。顔印影形成デバイスを用いて個人認証を行う際に、顔印影形成デバイスの記憶媒体に格納されたデータを読み出して利用することにより、個人認証作業の効率化、高精度化が容易になる。
【発明の効果】
【００２８】
本発明によれば、顔印影形成デバイスの印鑑部によって形成された印影に含まれる顔イメージと、その顔印影形成デバイスの使用者の顔とを比較することによって、比較的安価に認証精度を向上することができる。
【発明を実施するための最良の形態】
【００２９】
以下、本発明の実施の形態について、図１〜図１２を参照して説明する。
【００３０】
＜実施例１＞  まず、顔情報システムの登録サブシステムについて、図１〜図３を参照しながら説明する。
【００３１】
図１の構成図に示すように、顔情報システムの登録サブシステムは、所定のプログラムに従って動作するコンピュータ２０に、デジタルカメラ２２、スキャナ２４、キーボード２６等の入力部と、ハードディスクやメモリ等の記憶部３２と、デバイス作製装置３０とが接続されている。
【００３２】
コンピュータ２０は、デジタルカメラ２２で利用者の顔を撮影することにより、あるいは利用者の顔写真をスキャナ２４でスキャンすることにより取得された画像データの入力を受け付けると、その画像データに含まれる個人の顔画像の部分のデータを抽出して、顔画像に対応する顔イメージを含む印影を形成するように顔印影形成デバイス１０の印鑑部１４を加工するための顔画像データを作成する。
【００３３】
具体的には、図２のフローチャートに示すように、コンピュータ２０は、デジタルカメラ２２やスキャナ２４からの入力を受け付けた画像データから、顔の部分の輪郭を抽出し、顔の部分とその周囲の画像データを切り出し（Ｓ１０）、切り出した画像データについて、顔の部分を残して背景を透明化する（Ｓ１２）。切り出した画像データがカラーの場合にはグレースケールに変換し（Ｓ１４）、グレースケールのデータについて、顔の識別が容易となるように、必要に応じて、コントラストを強調する画像補正を行う（Ｓ１６）。次いで、顔の識別が容易に行えるように、必要に応じて、明度を補正する（Ｓ１８）。明度が高すぎると白く飛び、低すぎると暗くなり、いずれの場合も顔の識別が困難になるからである。
【００３４】
次いで、データを、印影を形成するのに適した解像度で、濃淡のある印影を形成する加工データを作成し、デバイス作製装置３０に送出する（Ｓ２０）。例えば、ドットの配置密度や大きさにより、濃淡のある印影を形成することができる。
【００３５】
図１に示すように、コンピュータ２０は、利用者に関する個人情報データ(例えば、氏名、生年月日、所属など)の入力を受け付ける。すなわち、所定の用紙をスキャナ２４でスキャンすることにより取得されたデータ、あるいはキーボード２６からの操作データ、あるいは不図示の記憶媒体を読み取って取得されたデータの入力を受け付ける。
【００３６】
コンピュータ２０は、顔画像データと個人情報データとを同一人について対応付けて、記憶部３２に送出する。このとき送出される顔画像データは、デバイス作製装置３０で印鑑部１４を加工する際に直接用いる加工データと実質的に同じデータであればよく、例えば、図２のステップＳ２０で作成された所定の解像度の加工データに限らず、図２のステップＳ１４でグレースケールに変換されたデータや、図２のステップＳ１０で輪郭が抽出されたデータや、さらには、デジタルカメラ２２やスキャナ２４からコンピュータに入力された画像データそのものであってもよい。つまり、デバイス作製装置３０に送出する顔画像データと、記憶部３２に送出する顔画像データとは、完全に同一データである必要はなく、同一の元データをデータ処理することによって得られた実質的に同内容のデータであればよく、データ形式やデータ容量などが異なっていてもよい。
【００３７】
記憶部３２には、同一人の顔画像データと個人情報データとを対応付けて格納される。記憶部３２に格納されたデータの一部又は全部から、後述する登録データ記憶部が作成される。
【００３８】
デバイス作製装置３０は、コンピュータ２０から取得した顔画像データに基づいて、顔印影形成デバイス１０の一端１５側に設けられた印鑑部１４を加工する。これによって、印鑑部１４は、顔画像データの元となったデジタルカメラ２２による撮影画像やスキャナ２４でスキャンした顔写真に含まれる顔画像に対応する顔イメージを含む印影を形成する。
【００３９】
図３の要部拡大断面図に示したように、印鑑部１４は、外部に露出するフィルム１４ａに隣接して、インクを保持するインク保持部材１４ｂが配置されている。デバイス作製装置３０（図１参照）は、レーザにより、フィルム１４ａに貫通孔１４ｃを形成する。矢印１４ｘで示すように、顔印影形成デバイス１０（図１参照）の一端１５、すなわちフィルム１４ａによって形成された印面１４ｓを用紙２に押圧すると、インク保持部材１４ｂに保持されていたインクがフィルム１４ａの貫通孔１４ｃを通って、用紙２に転写される。印影は、用紙２に転写されたインク４によって形成される。高解像度の印影を形成するため、転写されたときに用紙に滲まない顔料系のインクを用いることが好ましい。
【００４０】
印面を彫った一般の印鑑は凸版であり、朱肉が滲みやすいため、微小なドッドで高解像度の印影を形成することが困難である。これに対して、顔印影形成デバイス１０の印鑑部１４は凹版であるので、微小な貫通孔１４ｃを高密度に形成することにより、微小なインク４により高解像度の印影を形成することができる。例えば、６００ｄｐｉの解像度の印影を形成することが可能である。フィルム１４ａに形成する貫通孔１４ｃによって、インク４の配置密度や大きさを変えることができる。そのため、顔画像に対応して、インク４の配置密度や大きさを変えることにより、濃淡のある印影を、繰り返し形成することができる。
【００４１】
印鑑部１４により形成される印影に、濃淡を有する顔イメージ（顔の印影部）が含まれるようにすれば、線だけで形成された顔のイラストイメージと比べ、精度よく個人を特定することができる。つまり、個人認証の精度が、少なくとも、免許証や身分証明書の顔写真を用いる場合と同程度にまで、高めることができる。
【００４２】
さらに認証精度を高めたい場合には、特殊なインクを用いたり、印影が形成するイメージに暗号が含まれるようにするなどすればよい。
【００４３】
図１に示すように、顔印影形成デバイス１０の本体１２には、電子部品１６が設けられている。電子部品１６は、例えばメモリ、ＲＦＩＣ、ＩＣタグ、ＩＣチップ等であり、少なくも記憶媒体を含む。電子部品１６は、コネクタを介して又は無線通信によって、デバイス作製装置３０に接続される。
【００４４】
デバイス作製装置３０は、コンピュータ２０から取得した個人情報データを含むデータを、顔印影形成デバイス１０の本体１２に設けられた電子部品１６の記憶媒体に格納する。このとき、デバイス作製装置３０は、取得されたデータを暗号化したり圧縮したりして電子部品１６の記憶媒体に格納してもよい。電子部品１６の記憶媒体には、個人情報データ以外のデータ、例えば端末装置を利用するためのプログラムなどが格納されていてもよい。
【００４５】
デバイス作製装置３０による印鑑部１４の加工や電子部品１６の記憶媒体へのデータの格納は、顔印影形成デバイス１０の組み立てが完了した状態で行われても、組み立て前の印鑑部１４や電子部品１６が分離した状態で行われてもよい。
【００４６】
次に、顔印影形成デバイスの利用する、顔情報システムの利用サブシステムについて、図４〜図１１を参照しながら説明する。
【００４７】
＜実施例２＞  銀行等の取引において個人認証に顔印影形成デバイス１０を用いる顔情報システムの利用サブシステムについて、図４及び図５を参照しながら説明する。
【００４８】
顔印影形成デバイス１０の使用者は、図４（ａ）に示すように、所定の用紙５０に口座番号等の必要事項を記入するとともに、用紙５０の所定欄に、顔印影形成デバイス１０の印鑑部１４（図１参照）を用いて、少なくとも顔の印影部４０を含む印影を形成する。
【００４９】
用紙５０を受け付けた担当者は、用紙５０を提出した人の顔と、用紙５０に形成された顔の印影部４０とを目で見て比較することにより、用紙５０を提出した人が、用紙５０に印影を形成するために用いられた顔印影形成デバイス１０の本来の使用者であるか否かを、容易に判別することができる。
【００５０】
個人認証に疑義がある場合や、認証精度をより高めたい場合等には、用紙５０を受け付けた担当者は、図４（ｂ）に示すように、顔情報システムの利用サブシステムに登録された登録データを表示するモニター画面５２を見ながら、登録された顔画像データ５４や個人情報データ５６との照合を行う。このとき、顔情報システムの利用サブシステムは、顔情報システムの登録システムの記憶部３２を直接参照してもよいが、システムの独立性、安定性などを考慮すると、顔情報システムの利用サブシステムが独自に備えるハードディスク等の登録データ記憶部を参照することが好ましい。
【００５１】
また、顔印影形成デバイス１０の電子部品１６の記憶媒体に格納されたデータを読み取るデータ読み取り装置を用いれば、照合データを増やして個人認証精度を向上することができる。また、読み取った個人情報データを利用することにより、用紙５０を受け付けた担当者の入力作業を無くすことができるなど、管理業務を効率化することができる。
【００５２】
なお、顔印影形成デバイス１０を用いて形成する印影は、図５（ａ）に示すように、顔の印影部４０のみの印影であっても、図５（ｂ）に示すように顔の印影部４０と署名の印影部４６とを合成した印影であっても、図５（ｃ）に示すように顔の印影部４０と文字の印影部４８とを合成した印影であっても、図５（ｄ）に示すように顔の印影部４０と、署名の印影部４６と、文字の印影部４８とを合成した印影であってもよい。
【００５３】
なお、署名の印影部４６や文字の印影部４８を形成するための合成用データは、図１に示した顔情報システムの登録サブシステムにおいて、スキャナ２４の読み取りで得られる署名データや、キーボード２４から入力される文字データに基づいて、コンピュータ２０が作成し、デバイス作製装置３０に送出する。
【００５４】
銀行等の取引において、印鑑だけでは他人が使用しても判別できないため、本人確認のために運転免許証の提示等が必要となる。顔の印影を形成する印鑑部１４を有する顔印影形成デバイス１０を取引用の印鑑として登録したり、あるいは取引用に登録された印鑑と併用したりすると、他人の使用であるか否かが容易に判別できる。そのため、運転免許証の提示等の面倒な手続きを省略することも可能となる。
【００５５】
次に、顔情報システムの利用サブシステムの他の実施例について、説明する。
【００５６】
＜実施例３＞  幼稚園での出欠管理等に顔印影形成デバイスを用いる顔情報システムの利用サブシステムについて、図６及び図７を参照しながら説明する。
【００５７】
図６の説明図に示すように、幼稚園での出欠管理等に用いる顔印影形成デバイス１０ａは、動物などの形状の本体１２ａの一端に印鑑部１４が設けられ、ストラップ１３によって、園児３の首に掛けることができるようになっている。
【００５８】
顔情報システムの利用サブシステムである出欠管理システム６０は、コンピュータ６４に、アンテナ６２と、スキャナ６６と、ハードディスク等の記憶装置６８とが接続されている。顔印影形成デバイス１０ａの本体１２ａに設けられたＲＦＩＣなどの電子部品１６は、出欠管理システム６０のアンテナ６２と、矢印６１で示すように無線通信する。アンテナ６２は、例えば幼稚園の入り口付近に設ける。これによって、出欠管理システム６０は、園児の出入りを検出し入出履歴を管理することができる。
【００５９】
園児は、幼稚園に着いたら、図７に示すように、出席記録用紙６５の所定欄に、各自の顔印影形成デバイス１０ａの印鑑部１４（図６参照）を用いて、印影４２ａ〜４２ｆを形成する。出席記録用紙６５の印影を見ることにより、出席している園児が一目で分かる。また、順に印影を形成するようにすれば、来た順序が分かる。
【００６０】
出席記録用紙６５は、図６に示した出欠管理システム６０のスキャナ６６でスキャンする。コンピュータ６４は、例えば顔認識技術を用いて、各印影４２ａ〜４２ｆの画像データを処理することによって、園児を特定する。
【００６１】
すなわち、記憶装置６８には、顔情報システムの登録サブシステムの記憶部３２に登録されている顔画像データについて、顔認識技術を用いて処理し、顔の特徴（目の位置、鼻の位置、輪郭など）を数値化した特性値データと、顔情報システムの登録サブシステムの記憶部３２に登録されている同一人の個人情報データとを対応付けて、予め格納しておく。
【００６２】
そして、図８のフローチャートに示すように、コンピュータ６４は、スキャナ６６で出欠管理システム６０をスキャンすることにより取得された各印影４２ａ〜４２ｆの画像データの入力を受け付けると（Ｓ３０）、各印影４２ａ〜４２ｆの画像データについて、顔認識技術を用いて顔の特徴を数値化した特性値データを求め（Ｓ３２）、その特性値データを、記憶装置６８に格納されている特性値データと比較する（Ｓ３４）。そして、印影の画像データについての特性値データと一致する、記憶装置６８に格納されている特性値データについて、その特性値データと対応付けて記憶装置６８に格納されている同一人の個人情報データから、個人を特定する（Ｓ３６）。
【００６３】
幼稚園では、例えば連絡帳によって園児の出欠を管理することも可能であるが、顔印影形成デバイス１０ａを用いると、管理精度が向上する上、園児にとっては楽しい仕掛けとなる。
【００６４】
＜実施例４＞  教育機関等で顔印影形成デバイスを用いる顔情報システムの利用サブシステムについて、図９〜図１１を参照しながら説明する。
【００６５】
図９の平面図に、大学等の教育機関で用いる顔印影形成デバイス１１を示す。顔印影形成デバイス１１は、一端１５側に印鑑部１４が設けられ、他端１８側にＵＳＢコネクタ１７が設けられ、本体１２ｂには、フラッシュメモリを含む電子部品１６が内蔵されている。電子部品１６のフラッシュメモリには、少なくとも、顔印影形成デバイス１１の使用者の顔画像データが格納されている。
【００６６】
顔印影形成デバイス１１は、大学等の教育機関の教室やコンピュータ実習室など、図１０に示すように、複数の端末装置７２ａ〜７２ｆが配置された施設７０を利用する際に、各自の顔印影形成デバイス１１ａ〜１１ｆを、ＵＳＢコネクタ１７（図９参照）を介して端末装置７２ａ〜７２ｆに接続する。各端末装置７２ａ〜７２ｆは、ホストコンピュータ７４に接続されている。ホストコンピュータ７４は、各端末装置７２ａ〜７２ｆの利用履歴等を管理する。
【００６７】
例えば、施設７０が教室の場合、授業の資料や課題に関するデータが、ホストコンピュータ７４から端末装置７２ａ〜７２ｆを介して顔印影形成デバイス１１ａ〜１１ｆに格納される。逆に、顔印影形成デバイス１１ａ〜１１ｆの使用者が顔印影形成デバイス１１ａ〜１１ｆに格納しておいたレポート等のデータが、端末装置７２ａ〜７２ｆを介してホストコンピュータ７４に送出される。あるいは、顔印影形成デバイス１１ａ〜１１ｆの記憶媒体に格納されたプログラムを、顔印影形成デバイス１１ａ〜１１ｆで実行させる。
【００６８】
施設７０がコンピュータ実習室の場合、顔印影形成デバイス１１ａ〜１１ｆを端末装置７２ａ〜７２ｆに接続した状態で、端末装置７２ａ〜７２ｆからホストコンピュータ７４にアクセスして、ホストコンピュータ７４側で動作するＣＡＤやＣＧなどの大型プログラムを用いた演習を行う。
【００６９】
顔印影形成デバイス１１ａ〜１１ｆの使用者は、端末装置７２ａ〜７２ｆの利用前に、図１１に示すように、所定の用紙７５の所定欄に、各自の顔印影形成デバイス１１ａ〜１１ｆの印鑑部１４（図９参照）を用いて、少なくとも顔の印影部を含む印影４４ａ〜４４ｆを形成する。
【００７０】
施設７０の管理者は、用紙７５に印影４４ａ〜４４ｆが形成される際に、顔印影形成デバイス１１ａ〜１１ｆを用いて印影４４ａ〜４４ｆを形成する利用者の顔と、形成された印影４４ａ〜４４ｆとを目で見て照合する。また、端末装置７２ａ〜７２ｆを利用している利用者の顔と用紙７５の印影４４ａ〜４４ｆとを目で見て照合する。これによって、他人の顔印影形成デバイス１１ａ〜１１ｆの利用を防止することができる。
【００７１】
また、各端末装置７２ａ〜７２ｆに接続されたホストコンピュータ７４から、端末装置７２ａ〜７２ｆに接続されている顔印影形成デバイス１１ａ〜１１ｆの電子回路１６のフラッシュメモリに格納された顔画像データを読み出す。そして、ホストコンピュータ７４で読み出した画像データと、用紙７５に形成された印影４４ａ〜４４ｆと目で見て照合する。これにより、他人の顔印影形成デバイス１１ａ〜１１ｆを用いて端末装置７２ａ〜７２ｆを利用することを、防止することができる。
【００７２】
顔印影形成デバイス１１，１１ａ〜１１ｆを用いると、端末装置７２ａ〜７２ｆの使用を厳格に管理することができる。そのため、例えば大学等の教育機関において履修履歴を厳格に管理することができる。
【００７３】
＜実施例５＞  顔印影形成デバイスで形成した顔画像により情報の提供を可能にする顔情報システムについて、図１２の構成図を参照しながら説明する。
【００７４】
実施例５の顔情報システムは、登録サブシステム及び利用サブシステムのサーバー８４には、インターネットや電話回線等の通信網９０を介して、デバイス自動作製ボックス８２が接続されている。
【００７５】
デバイス自動作製ボックス８２は、例えば自動証明写真機（証明写真ボックス）のように、椅子に座った状態で顔写真を撮影することができるボックである。デバイス自動作製ボックス８２内には、顔写真を撮影するためのデジタルカメラ８２ａと、タッチパネル付モニター８２ｂと、プリンタ８２ｃと、デバイス作製装置８２ｄとが設けられている。デジタルカメラ８２ａと、タッチパネル付モニター８２ｂと、プリンタ８２ｃと、デバイス作製装置８２ｄとは、通信網９０を介して、サーバー８４に接続され、サーバー８４から遠隔制御される。
【００７６】
デジタルカメラ８２ａは、第１の利用者（以下、「利用者Ａ」という。)の顔を撮影する。撮影データは、サーバー８４に転送される。
【００７７】
タッチパネル付モニター８２ｂの画面には、サーバー８４からの制御によって、操作手順や、デジタルカメラ８２ａで撮影した写真が表示される。利用者Ａは、タッチパネル付モニター８２ｃの画面指示に従って、指でタッチパネル付モニター８２ｂの画面に触れことによって、撮影開始、写真の選択、個人情報データ（例えば、利用者ＡのホームページのＵＲＬ）の入力などの操作を行うことができる。タッチパネル付モニター８２ｂから入力されたデータは、サーバー８４に転送される。サーバー８４は、タッチパネル付モニター８２ｂから入力入力されたデータに基づいて、デバイス自動作製ボックス８２内の機器８２ａ，８２ｂ，８２ｃ，８２ｄの制御を行う。
【００７８】
サーバー８４は、利用者Ａが選択した写真の撮影データから顔画像データを抽出し、顔画像データを、デバイス自動作製ボックス８２内に設けられたデバイス作製装置８２ｄに転送するとともに、サーバー８４内のデータベース８５に格納する。デバイス作製装置８２ｄは、サーバー８４からの顔画像データに基づいて、顔印影形成デバイス（図示せず）を作製する。
【００７９】
サーバー８４は、タッチパネル付モニター８２ｂから入力された利用者Ａの個人情報データを、サーバー８４内のデータベース８５に、利用者Ａの顔画像データと対応つけて格納する。
【００８０】
プリンタ８２ｃは、サーバー８４からの制御により、受付番号、サーバー８４内の管理サイトについての情報（例えば、ＵＲＬ、ＱＲコード）などを印刷する。
【００８１】
利用者Ａは、デバイス作製装置８２ｄにより作製された顔印影形成デバイスと、プリンタ８２ｃで印刷された用紙を、デバイス自動作製ボックス８２から持ち帰る。利用者Ａは、用紙に印刷された管理用サイトにアクセスし、個人情報データを追加・修正することができる。
【００８２】
利用者Ａは、顔印影形成デバイスを用いて、書類や名刺などに顔画像を形成することができる。顔画像の作成された書類や名刺を受け取った別の利用者（以下、「利用者Ｂ」という。)は、書類や名刺に形成された顔画像をカメラ付携帯電話８８で撮影し、撮影画像をメールに添付して、所定のアドレス（サーバー８４）に送る。メールを受信したサーバー８４は、メールに添付された撮影画像について、パターンマッチングにより、あるいは顔認識技術により、データベース８５に格納された顔画像データ中から一致するものを抽出し、利用者Ａを特定する。そして、利用者Ａに関する個人情報データをデータベース８５から読み出し、例えば、利用者ＡのホームページのＵＲＬを記載したメールを利用者Ｂに返信する。
【００８３】
利用者Ｂは、返信メールに記載されたＵＲＬをクリックすることによって、利用者Ａのホームページが置かれているサーバー８６にアクセスすることができる。
【００８４】
利用者Ａは、利用者Ａの顔印影形成デバイスを用いて顔画像を形成した書類や名刺などを渡すことにより、顔画像をキーとして、利用者Ａの情報を公開することができる。
【００８５】
＜まとめ＞  以上に説明した顔情報システムは、生体認証システム等と比べ、比較的安価に構築することができる。また、顔印影形成デバイスの印鑑部は、濃淡のある顔イメージ（顔の印影部）を形成するので、少なくとも身分証明書の顔写真と同程度まで、個人認証の精度を向上することができる。
【００８６】
なお、顔印影形成デバイスの印鑑部が形成する顔の印影部に、ホームページのＵＲＬなどの文字情報を合成したり、電子すかし技術を用いて顔イメージ（顔の印影部）に暗号データを付加したりしてもよい。
【図面の簡単な説明】
【００８７】
【図１】顔情報システムの登録サブシステムの構成図である。（実施例１）
【図２】顔画像データ作成手順を示すフローチャートである。（実施例１）
【図３】印鑑部の要部拡大断面図である。（実施例１）
【図４】（ａ）用紙の説明図、（ｂ）モニター画面の説明図である。（実施例２）
【図５】印影の説明図である。（実施例２）
【図６】顔情報システムの利用サブシステムの説明図である。（実施例３）
【図７】用紙の説明図である。（実施例３）
【図８】個人を特定する手順を示すフローチャートである。（実施例３）
【図９】顔印影形成デバイスの平面図である。（実施例４）
【図１０】複数の端末装置を備えた施設の説明図である。（実施例４）
【図１１】用紙の平面図である。（実施例４）
【図１２】顔情報システムの構成図である。（実施例５）
【符号の説明】
【００８８】
１０，１０ａ，１１  顔印影形成デバイス
１４  印鑑部
１４ｃ  貫通孔(凹部)
１４ｓ  印面
１６，１６ａ  電子部品(記憶媒体)
２０  コンピュータ（顔画像データ作成手段、合成用データ作成手段）
２２  デジタルカメラ（入力手段）
２４  スキャナ（入力手段）
２６  キーボード（入力手段）
３０  デバイス作製装置
３２  記憶部（登録情報記憶手段)  ６０  出欠管理システム（顔情報システムの利用サブシステム）
６２  アンテナ(データ読み出し手段)
６４  コンピュータ（印影データ入力受付手段、登録データ特定手段）
６６  スキャナ
６８  記憶装置（登録データ記憶手段）
７２ａ−７２ｆ  端末装置(データ読み出し手段)
７４  ホストコンピュータ(データ読み出し手段)
８１  顔情報システム
８２ａ  デジタルカメラ（入力手段）
８２ｂ  タッチパネル付モニター（入力手段）
８２ｃ  プリンタ
８２ｄ  デバイス作製装置
８４  サーバー（顔画像データ作成手段、印影データ入力受付手段、登録情報特定手段）
８５  データベース（登録情報記憶手段）
８６  サーバー
８８  携帯電話
【図１】
2008097338.tif 000003
【図２】
2008097338.tif 000004
【図３】
2008097338.tif 000005
【図４】
2008097338.tif 000006
【図５】
2008097338.tif 000007
【図６】
2008097338.tif 000008
【図７】
2008097338.tif 000009
【図８】
2008097338.tif 000010
【図９】
2008097338.tif 000011
【図１０】
2008097338.tif 000012
【図１１】
2008097338.tif 000013
【図１２】
2008097338.tif 000014